(57)【特許請求の範囲】
【請求項１】
背面パネルの上端に跳ね上げ開成自在の屋根パネルを，左右端に谷折り状中折れ自在の各側面パネルを，下端に床パネルをそれぞれヒンジ連結して上記背面パネルを基準として上記屋根パネル，側面パネル，床パネルを該背面パネルの正面側に重合折畳み自在としたボックス本体を形成するとともに上記側面パネルの下端に該下端を連結して上記床パネルの自由端を載置支持する前端下枠を配置し，上記側面パネルの上端一方又は双方と屋根パネルの左右一方又は双方の側端間に該屋根パネルを開成状態に支持する支持手段を配置し且つ上記左右の側面パネルの先端に両開き一方にして自由端をロック自在の開き戸の吊元端をそれぞれヒンジ連結して上記屋根パネルと開き戸の開成によって上記ボックス本体の上面と正面の２面を無仕切りに連続開放自在とし，上記屋根パネル及び床パネルをアルミフレームに板材を装着し，上記側面パネル，背面パネル及び開き戸をアルミフレームにメッシュ材を装着して形成し，上記ヒンジ連結をこれらアルミフレームのアルミ押出材に一体に成形した軸と軸受を直接に回動自在に嵌合し又は該軸または軸受と嵌合する軸受又は軸を設置したヒンジ連結枠を用いたアルミヒンジによって行い，屋根パネルのヒンジ連結を折畳み用と跳ね上げ開成用前後一対のアルミヒンジを用いて行うとともに背面パネルに対する屋根パネル，側面パネル及び床パネルのヒンジ連結位置を背面パネルからの前方への突出寸法を異なるものとして床パネル，側面パネル及び屋根パネルの順でボックス本体の折畳をなすものとし且つ上記背面パネルの左右端部下端にレベルアジャスターを，側面パネルの先端部下端にキャスターを設置してなることを特徴とするフルオープン式ゴミステーション。
【請求項２】
上記左右の側面パネルの先端にそれぞれヒンジ連結した両開き一方の開き戸に代えて，左右の側面パネルの一方の先端に吊元端をヒンジ連結した片開き用にして自由端をロック自在の開き戸を用いてなることを特徴とする請求項１に記載のフルオープン式ゴミステーション。
【請求項３】
上記背面パネルの左右端部又は背面に，地上構造物又は構築物に対して背面パネルを固定する固定金具を設置してなることを特徴とする請求項１又は２に記載のフルオープン式ゴミステーション。
【発明の詳細な説明】
【０００１】
【発明の属する技術分野】
本発明は折畳みを自在としたゴミステーションに関し，特に上面及び正面を開放自在に構成したフルオープン式ゴミステーションに関する。
【０００２】
【従来の技術】
この種折畳み自在のゴミステーションとして，本発明者の特開平１１−１５２７９９号が知られており，これによれば引戸，開き戸を有する正面フレーム，背面パネル，跳ね上げ開成自在の屋根パネル，谷折り状中折れ自在の側面パネル，床パネルを備え，正面フレームと背面パネルの左右端に各側面パネル，背面パネルの上端に屋根パネル，背面パネルの下端に床パネルをそれぞれヒンジ連結することによって正面フレームと背面パネルを基準として各パネルをこれら正面フレーム及び背面パネル間に折畳み自在としたボックス本体を形成するとともに正面フレームに引戸又は開き戸を開閉自在に装着して，上記屋根パネルと引戸又は開き戸とをそれぞれ個別に開閉するようにしたものとされる。
【０００３】
【発明が解決しようとする課題】
この場合，例えばゴミ収集日に伸張してボックスとし，屋根パネルを跳ね上げ開成してゴミを投入するようにする一方，引戸又は開き戸を開けてゴミの収集を行い，その後に折畳んで，次回のゴミ収集日まで同所で保管使用する，折畳み自在のゴミステーションを提供することができるが，このゴミステーションにあっては屋根パネルと引戸又は開き戸とをそれぞれ個別に開閉する構造とされることによって，ゴミの収集作業は，正面の引戸又は開き戸を開成し，投入されたゴミ袋を正面側に引き出すように行なうことになるから，作業者が前かがみになってこれを行なった後に，ゴミ収集車にこれを投入する作業を必要とするため，作業が煩雑なものとなりやすく，ゴミの収集作業の作業性がよくないといった問題点が残されている。
【０００４】
本発明はかかる事情に鑑みてなされたもので，ゴミの収集作業を容易化し，スピーディ且つ簡易にゴミの収集作業をなし得るようにするとともに折畳みの容易性，伸張使用時の安定性を確保した使い勝手のよいフルオープン式ゴミステーションを提供するにある。
【０００５】
【課題を解決するための手段】
上記課題に添って本発明は，背面パネルを折畳みの基準として屋根パネル，側面パネル，床パネルをヒンジ連結してそれぞれ折り畳むようにし，屋根パネル及び床パネルをアルミフレームに板材を装着して該屋根パネル４において雨避けを行い，床パネル６においてゴミの水分等が落下するのを防止し，側面パネル，背面パネル及び開き戸をアルミフレームにメッシュ材を装着してボックス本体２の通気性を確保して臭気がこもるのを防止するとともに上記ヒンジ連結をアルミヒンジを用いて行う一方，屋根パネルのヒンジ連結を折畳み用と跳ね上げ開成用前後一対のアルミヒンジを用いて行うようにし，屋根パネル，側面パネル及び床パネルのヒンジ連結位置を背面パネルからの前方への突出寸法を異なるものとして上記床パネル，側面パネル及び屋根パネルの順でボックス本体の折畳をなすようにし且つ背面パネルにレベルアジャスターを設置したことによってボックス本体の高さ調整を自在にして道路の傾斜等に対応してゴミステーション１の可及的に水平を確保することができ，左右の側面パネル５の先端部下端にキャスターを設置したことによってゴミステーションの正面側への引出しを容易化することができるようにして，上記折畳みの容易性，伸張使用時の安定性を確保した使い勝手のよいものとしたものであって，即ち請求項１に記載の発明を，背面パネルの上端に跳ね上げ開成自在の屋根パネルを，左右端に谷折り状中折れ自在の各側面パネルを，下端に床パネルをそれぞれヒンジ連結して上記背面パネルを基準として上記屋根パネル，側面パネル，床パネルを該背面パネルの正面側に重合折畳み自在としたボックス本体を形成するとともに上記側面パネルの下端に該下端を連結して上記床パネルの自由端を載置支持する前端下枠を配置し，上記側面パネルの上端一方又は双方と屋根パネルの左右一方又は双方の側端間に該屋根パネルを開成状態に支持する支持手段を配置し且つ上記左右の側面パネルの先端に両開き一方にして自由端をロック自在の開き戸の吊元端をそれぞれヒンジ連結して上記屋根パネルと開き戸の開成によって上記ボックス本体の上面と正面の２面を無仕切りに連続開放自在とし，上記屋根パネル及び床パネルをアルミフレームに板材を装着し，上記側面パネル，背面パネル及び開き戸をアルミフレームにメッシュ材を装着して形成し，上記ヒンジ連結をこれらアルミフレームのアルミ押出材に一体に成形した軸と軸受を直接に回動自在に嵌合し又は該軸または軸受と嵌合する軸受又は軸を設置したヒンジ連結枠を用いたアルミヒンジによって行い，屋根パネルのヒンジ連結を折畳み用と跳ね上げ開成用前後一対のアルミヒンジを用いて行うとともに背面パネルに対する屋根パネル，側面パネル及び床パネルのヒンジ連結位置を背面パネルからの前方への突出寸法を異なるものとして床パネル，側面パネル及び屋根パネルの順でボックス本体の折畳をなすものとし且つ上記背面パネルの左右端部下端にレベルアジャスターを，側面パネルの先端部下端にキャスターを設置してなることを特徴とするフルオープン式ゴミステーションとしたものであり，請求項２に記載の発明は，上記に加えて，その上記両開きの開き戸に代えて片開きの開き戸のものとするように，これを，上記左右の側面パネルの先端にそれぞれヒンジ連結した両開き一方の開き戸に代えて，左右の側面パネルの一方の先端に吊元端をヒンジ連結した片開き用にして自由端をロック自在の開き戸を用いてなることを特徴とする請求項１に記載のフルオープン式ゴミステーションとし，請求項３に記載の発明は，同じく上記に加えて，設置に際してその固定を行い，転倒による危険，盗難等の可能性を解消するように，これを，上記背面パネルの左右端部又は背面に，地上構造物又は構築物に対して背面パネルを固定する固定金具を設置してなることを特徴とする請求項１又は２に記載のフルオープン式ゴミステーションとし，これらをそれぞれ発明の要旨として上記課題解決の手段としたものである。
【０００６】
【発明の実施の形態】
以下図面の例に従って本発明を更に具体的に説明すれば，１はフルオープン式のゴミステーションであり，該ゴミステーション１は，背面パネル３の上端に跳ね上げ開成自在の屋根パネル４の後端を，左右端に谷折り状中折れ自在の各側面パネル５の後端を，下端に床パネル６の後端をそれぞれヒンジ８連結して上記背面パネル３を基準として上記屋根パネル４，側面パネル５，床パネル６を該背面パネル３の正面側に重合折畳み自在としたボックス本体２を形成するとともに上記側面パネル５の下端に該下端を連結して上記床パネル６の自由端を載置支持する前端下枠７を配置し，上記側面パネル３の上端一方又は双方と屋根パネル４の左右一方又は双方の側端間に該屋根パネル４を開成状態に支持する支持手段１１を配置し且つ上記左右の側面パネル５の先端に両開き一方にして自由端をロック自在の開き戸１０の吊元端をそれぞれヒンジ８連結して上記屋根パネル４と開き戸１０の開成によって上記ボックス本体２の上面と正面の２面を無仕切りに連続開放自在としたものとしてある。
【０００７】
このときボックス本体２の上記屋根パネル４及び床パネル６は，これをアルミフレームに板材を装着し，上記側面パネル５，背面パネル３及び開き戸１０をアルミフレームにメッシュ材を装着して形成し，上記ヒンジ８連結をこれらアルミフレームのアルミ押出材に一体に成形した軸と軸受を直接に回動自在に嵌合し又は該軸または軸受と嵌合する軸受又は軸を設置したヒンジ連結枠９を用いたアルミヒンジによって行い，屋根パネル４のヒンジ８連結を折畳み用と跳ね上げ開成用前後一対のアルミヒンジを用いて行うとともに背面パネル３に対する屋根パネル４，側面パネル５及び床パネル６のヒンジ８連結位置を背面パネル３からの前方への突出寸法を異なるものとして床パネル６，側面パネル５及び屋根パネル４の順でボックス本体２の折畳をなすものとし且つ上記背面パネル３の左右端部下端にレベルアジャスター１５を，側面パネル５の先端部下端にキャスター１６を設置したものとしてある。
【０００８】
本例にあってボックス本体２は矩形の背面パネル３の上端，側端及び下端にそれぞれ屋根パネル４，側面パネル５，床パネル６をヒンジ８連結することによって，正面を開放したボックス状としてあり，このとき背面パネル３，側面パネル５は，それぞれアルミ押出材を枠組みした上記アルミフレームにメッシュ材，例えばエクスパンドパネルを装着したことによって，ボックス本体２の通気性を確保して臭気がこもるのを防止するようにし，また屋根パネル４，床パネル６は，同じくアルミフレームに板材，例えば金属板，合成樹脂板等を装着したことによって，該屋根パネル４において雨避けを行い，床パネル６においてゴミの水分等が落下するのを防止するようにしてあり，このとき側面パネル５はそれぞれ一対のパネルを奥行方向中央位置でヒンジ８連結して上記谷折り状中折れ自在としてある。
【０００９】
また本例において上記ボックス本体２は，上記側面パネル５の下端に該下端を連結して上記床パネル６の自由端を載置支持する前端下枠７を備えたものとすることによって，該ボックス本体２の伸張使用状態をより安定するものとしてあり，本例の前端下枠７は，床パネル６自由端の載置支持用に受止フィンを背面側に向けて突出し，側面パネル５の先端の下端をその間隔を維持して相互に連結するようにこれらに架設設置したアルミ中空の枠材によるものとしてある。
【００１０】
上記ヒンジ８連結のアルミヒンジは，本例において，これをアルミの軸と軸受を嵌合したものとしてあり，このとき各パネルのアルミ押出材に軸又は軸受を一体に成形して，これらを直接回動自在に嵌合するか，またはアルミ押出材の軸又は軸受と嵌合する軸受又は軸を設置したヒンジ連結枠９を用いて，同様に回動自在に嵌合したものとして，そのヒンジ８連結を行なってあり，これによってそれぞれのヒンジ８を１／４円回動自在のものとしてある。更にこのとき背面パネル３に対する屋根パネル４，側面パネル５，床パネル６のヒンジ８連結位置を背面パネル３からの前方への突出寸法を異なるものとすることによって，これらパネルの折畳みに際して相互の衝接を防止して，これらパネルの上記１／４円の回動による，上記背面パネル３側から床パネル６，側面パネル５，屋根パネル４の順でその折畳みをなすようにし，その重合折畳みをコンパクトになし得るようにしてある。
【００１１】
このとき上記屋根パネル４のヒンジ８連結は，これを上記折畳み用と跳ね上げ開成用の前後位置一対のヒンジ８を用いてそれぞれ行なってあり，これによって上記１／４円の回動を行なうアルミヒンジを用い乍ら，該屋根パネル４を背面パネル３に対して重合折畳みと上面を開放する跳ね上げ開成とを行ない得るようにしてあり，本例において該前後位置一対のヒンジ８の配置を，背面パネル３側を跳ね上げ開成用，その前方を折畳み用のものとしてあり，これによって跳ね上げ開成と上記他のパネルとの衝接を避けた重合折畳みをなし得るものとしてある。
【００１２】
このように形成したボックス本体２には，その側面パネル３と屋根パネル４間に支持手段１１を配置して屋根パネル４を跳ね上げ開成状態とし得るようにする一方，側面パネル５にヒンジ８連結した両開き用一対の開き戸１０を設置してあり，これによって屋根パネル４と開き戸１０の開成により上面と正面を連続開放し得るようにしてある。
【００１３】
即ち本例にあって上記支持手段１１は，これを側面パネル５の上端一方とこれに対応した屋根パネル４の側端との間に介設した長手方向一端を回動自在に軸支し，他端を着脱自在に引掛係合する支持アームによるものとし，本例において該支持アームは，これを一方の側面パネル５の自由端側上方に回動自在に軸支し，屋根パネル４側端中間位置の下面に透設した図示省略の引掛孔に対して他端を引掛係合自在としたアームによるものとし，屋根パネル４を傾斜した跳ね上げ開成状態に支持して，これを維持するようにしてある。
【００１４】
両開きの開き戸１０は，上記アルミフレームにメッシュ材，例えばエクスパンドパネルを装着して通気性を確保したものとしてあり，上記と同様にアルミヒンジを用いてその吊元端のヒンジ８連結を行なうとともに，本例において上記ヒンジ連結枠９を用いてそのダブルのヒンジ８を同一方向に１／４円づつ回動自在とすることによって合計１／２円の回動をそれぞれ行なうようにしてあり，ゴミステーションＡの前方に開き戸１０が壁を作るように位置するのを防止してあり，このとき該両開きの開き戸１０は，上記前端下枠７に対接することによってその自由端を受止するようにし，また一方の開き戸１０の自由端に設置した突片によって他方の開き戸１０の自由端を受止して，その確実な閉成を行なうようにしてあり，このとき上記自由端はこれをロック自在として，伸張使用状態における安定性を確保するようにしてあり，本例において該ロックは，これを上記突片によって受止する他方の開き戸１０に設置して，両側の開き戸１０を同時にロック自在とする落し錠１２を用いたものとしてある。
【００１５】
図中１３は屋根パネル４の開閉用に使用する開閉把手，１４は本例において上記ロックを更に確実にするように上記落し錠１２に加えて開き戸１０を相互に連結するように設置し，一方の開き戸１０に回動自在に軸支し，他方の開き戸１０の受具に係止自在としたかんぬき状の回動係止バー，１７は上記背面パネル３の左右端部又は背面に設置した，電柱，建物壁面，塀等適宜の地上構造物又は構築物に対して背面パネル３を介してゴミステーション１を固定するようにした固定金具をそれぞれ示す。
【００１６】
本例のゴミステーション１にあっては，ゴミ収集日に伸張してボックスとし，屋根パネル４を跳ね上げ開成してゴミを投入するようにする一方，両開きの開き戸１０を開けてゴミの収集を行い，その後に折畳んで，次回のゴミ収集日まで同所で保管使用するとともに屋根パネル４と開き戸１０の双方を開放することによってボックス本体２の上面と正面の２面を，これを分断する仕切りのない無仕切りの状態に連続開放自在とし，ゴミ収集の作業を該連続した開放状態で行なえるようにすることができ，また上記背面パネル３の左右端部下端にそれぞれ設置したレベルアジャスター１５が高さ調整を自在にして道路の傾斜等に対応してゴミステーション１の可及的に水平を確保することができ，左右の側面パネル５の先端部下端にそれぞれ設置したキャスター１６がゴミステーション１の正面側への引出しを容易化することができる。
【００１７】
図示した例は以上のとおりとしたが，上記左右の側面パネルの先端にそれぞれヒンジ連結した両開き一方の開き戸に代えて，左右の側面パネルの一方の先端に吊元端をヒンジ連結した片開き用にして自由端をロック自在の開き戸を用いること，開き戸のロックを上記かんぬき状の回動係止バーを単独で使用し，また上記片開きの開き戸を使用するとき側面パネルとの間でその自由端をロック自在とする場合を含めて，自由端のロックを各種の錠，係止金具等を使用することによって行なうようにすること等を含めて，背面パネル，屋根パネル，側面パネル，床パネル，ヒンジ，これらによるボックス本体，支持手段，開き戸，必要に応じて用いるレベルアジャスター，キャスター，固定金具等の各具体的構造，形状，材質，これらの関係，これらに対する付加等は，上記各発明の要旨に反しない限り，様々の形態のものとすることができる。
【００１８】
【発明の効果】
本発明は以上のとおりに構成したから，請求項１に記載の発明は，背面パネルを折畳みの基準として屋根パネル，側面パネル，床パネルをヒンジ連結してそれぞれ折り畳むようにし，屋根パネル及び床パネルをアルミフレームに板材を装着して該屋根パネル４において雨避けを行い，床パネル６においてゴミの水分等が落下するのを防止し，側面パネル，背面パネル及び開き戸をアルミフレームにメッシュ材を装着してボックス本体２の通気性を確保して臭気がこもるのを防止するとともに上記ヒンジ連結をアルミヒンジを用いて行う一方，屋根パネルのヒンジ連結を折畳み用と跳ね上げ開成用前後一対のアルミヒンジを用いて行うようにし，屋根パネル，側面パネル及び床パネルのヒンジ連結位置を背面パネルからの前方への突出寸法を異なるものとして上記床パネル，側面パネル及び屋根パネルの順でボックス本体の折畳をなすようにし且つ背面パネルにレベルアジャスターを設置したことによってボックス本体の高さ調整を自在にして道路の傾斜等に対応してゴミステーション１の可及的に水平を確保することができ，左右の側面パネル５の先端部下端にキャスターを設置したことによってゴミステーションの正面側への引出しを容易化することができるようにして，ゴミ収集日に伸張してボックスとし，屋根パネルを跳ね上げ開成してゴミを投入するようにする一方，両開きの開き戸を開けてゴミの収集を行い，その後に折畳んで，次回のゴミ収集日まで同所で保管使用するものとするとともに屋根パネルと開き戸の双方を開放することによってボックス本体の上面と正面の２面を，これを分断する仕切りのない無仕切りの状態に連続開放自在とし，ゴミ収集の作業を該連続した開放状態で行なえるようにして，ゴミの収集作業を容易化し，スピーディ且つ簡易にゴミの収集作業をなし得るようにするとともに折畳みの容易性を確保し，開き戸の自由端をロック可能とすることによって伸張使用時の安定性を確保し得るようにした使い勝手のよいフルオープン式ゴミステーションを提供することができ，請求項２に記載の発明は，上記に加えて，その上記両開きの開き戸に代えて片開きの開き戸のものとすることができ，請求項３に記載の発明は，同じく上記に加えて，設置に際してその固定を行い，転倒による危険，盗難等の可能性を解消したものとすることができる。
【図面の簡単な説明】
【図１】  ゴミステーションの開放状態を示す斜視図である。
【図２】  ゴミステーションの伸張使用状態を示す正面図である。
【図３】  ゴミステーションの伸張使用状態を示す側面図である。
【図４】  ゴミステーションの伸張使用状態における横断面図である。
【図５】  ゴミステーションの縮小保管状態における部分横断面図である。
【図６】  図４のＡ−Ａ線縦断面図である。
【図７】  図４のＢ−Ｂ縦縦断面図である。
【符号の説明】
１  ゴミステーション
２  ボックス本体
３  背面パネル
４  屋根パネル
５  側面パネル
６  床パネル
８  ヒンジ
１０  開き戸
１１  支持手段
【図１】
0003878783.tif 000002
【図２】
0003878783.tif 000003
【図３】
0003878783.tif 000004
【図４】
0003878783.tif 000005
【図５】
0003878783.tif 000006
【図６】
0003878783.tif 000007
【図７】
0003878783.tif 000008